(57)【要約】【課題】      コネクタの厚さ方向での位置決めが容易で、ハウジングの内部空間に挿入された電子部品のがたつきを防止し、安定した電気的接続ができるコネクタを提供する。【解決手段】  両表面に電気回路を備えた電子部品５１と第２電子部品５２とを同一平面上に対向配置し、基板用コネクタ１、中継用コネクタ２および短絡用コネクタ３と接続する。基板用コネクタ１は、ハウジング１３と、ハウジング１３内に対向配置される可動端子１１および固定端子１２と、を備える。可動端子１１は弾性変形可能で、電子部品５１を固定端子１２側に押し上げ、固定端子１２は押し上げられた電子部品５１を抑止する。中継用コネクタ２は、両端が開口したハウジング２３、弾性変形可能な可動端子２１、および実質的に弾性変形しない固定端子２２を備え、短絡用コネクタ３は、ハウジング３３、弾性変形可能な可動端子３１、および実質的に弾性変形しない固定端子３２を備える。【選択図】    図１２
2005340000.tif 000002
【特許請求の範囲】
【請求項１】
開口が形成され、略直方体状の内部空間を有するハウジングと、前記内部空間に設けられ、前記開口から内部空間に挿入される電子部品に接触する一対の端子と、を備えるコネクタであって、
前記内部空間は、前記開口に直交して相互に対向する第１壁面および第２壁面を備え、
前記一対の端子の一方は、前記第１壁面に沿って設けられ、前記電子部品を前記第２壁面側に押圧する弾性変形可能な可動端子であり、
前記一対の端子の他方は、前記第２壁面に沿って設けられ、前記可動端子に押圧される前記電子部品を抑止する固定端子であることを特徴とするコネクタ。
【請求項２】
前記可動端子は、一部が前記ハウジングから延出して電気回路を備える基板に固定され、
前記固定端子は、一部が前記ハウジングから延出して前記基板に固定され、
前記基板に実装されることを特徴とする請求項１に記載のコネクタ。
【請求項３】
前記可動端子は、前記ハウジングに保持される略平板状の本体と、この本体に立設されて前記ハウジングから延出して前記基板に固定される第１固定片と、前記本体に固定される接触部と、を備え、
前記固定端子は、前記ハウジングに保持される略平板状の本体と、この本体に立設されて前記ハウジングから延出して前記基板に固定される第２固定片と、を備えることを特徴とする請求項２に記載のコネクタ。
【請求項４】
前記接触部は、先端が基端側に曲げ返された板ばねで構成されることを特徴とする請求項３に記載のコネクタ。
【請求項５】
前記可動端子の接触部は、前記固定端子側に尖った頂部を先端側に備え、
前記固定端子は、前記本体から前記可動端子側に突出する半球状の突起をさらに備え、
前記可動端子の頂部と、前記固定端子の突起と、が対向することを特徴とする請求項４に記載のコネクタ。
【請求項６】
前記ハウジングは、前記開口に対向する第２開口をさらに備え、
前記可動端子は、この第２開口から前記内部空間に挿入される第２電子部品と接触する第１接触部と、前記電子部品と接触する第２接触部と、を備え、
前記固定端子は、前記第２電子部品を抑止する第１抑止部と、前記電子部品を抑止する第２抑止部と、を備えることを特徴とする請求項１に記載のコネクタ。
【請求項７】
前記可動端子は、前記ハウジングに保持される略矩形枠状の保持部をさらに備え、
前記第１接触部および前記第２接触部は、前記保持部の対向する２辺のそれぞれに固定されることを特徴とする請求項６に記載のコネクタ。
【請求項８】
前記第１接触部は、前記開口側から前記第２開口側に延びる片持ばりで構成され、
前記第２接触部は、前記第１接触部を構成する片持ばりと並行に配置され、前記第２開口側から前記開口側に延びる片持ばりで構成されることを特徴とする請求項６または７に記載のコネクタ。
【請求項９】
前記片持ばりは、前記固定端子側に尖った頂部を先端側に備え、
前記固定端子の第１抑止部は、前記可動端子の第１接触部の頂部と対向し、
前記固定端子の第２抑止部は、前記可動端子の第２接触部の頂部と対向することを特徴とする請求項８に記載のコネクタ。
【請求項１０】
前記内部空間に、前記可動端子と前記固定端子とを接続する接続部材がさらに設けられることを特徴とする請求項１に記載のコネクタ。
【請求項１１】
前記接続部材は、前記開口と対向し、前記第１壁面および前記第２壁面の端縁同士を接続する第３壁面に沿って設けられることを特徴とする請求項１０に記載のコネクタ。
【請求項１２】
一対の接触端子を備えるコネクタと、電子回路が形成された電子部品と、を電気的に接続する接続構造であって、
前記コネクタは、開口が形成され、略直方体状の内部空間を有するハウジングを備え、
前記内部空間は、前記開口に直交して相互に対向する第１壁面および第２壁面を備え、
前記一対の接触端子の一方は、前記第１壁面に沿って設けられ、前記電子部品を前記第２壁面側に押圧する弾性変形可能な可動端子であり、
前記一対の接触端子の他方は、前記第２壁面に沿って設けられ、前記第２壁面側に押圧される前記電子部品を抑止する固定端子であることを特徴とする接続構造。
【請求項１３】
前記コネクタは、電気回路を備える基板に実装される基板用コネクタ、前記電子部品およびこの電子部品に対向配置される第２電子部品に接続される中継用コネクタ、または両面に電気回路が形成された電子部品に接続される短絡用コネクタであり、
前記基板用コネクタは、一部が前記ハウジングから延出して前記基板に固定される可動端子と、一部が前記ハウジングから延出して前記基板に固定される固定端子と、を備え、
前記中継用コネクタのハウジングは、前記開口に対向する第２開口をさらに備え、前記中継用コネクタの可動端子は、前記第２電子部品と接触する第１接触部および前記電子部品と接触する第２接触部を備え、前記中継用コネクタの固定端子は、前記第２電子部品を抑止する第１抑止部および前記電子部品を抑止する第２抑止部を備え、
前記短絡用コネクタのハウジング内部空間に、前記可動端子と前記固定端子とを接続する接続部材がさらに設けられることを特徴とする請求項１２に記載の接続構造。
【請求項１４】
前記電子部品の一端縁が前記基板用コネクタの内部空間に挿入され、
前記電子部品の他端縁が前記短絡用コネクタの内部空間に挿入されることを特徴とする請求項１３に記載の接続構造。
【請求項１５】
複数の電子部品が同一平面上に直列に配置され、
隣接する一対の電子部品の一方の一端縁が前記中継用コネクタの前記開口に挿入され、
前記一対の電子部品の他方の一端縁が前記中継用コネクタの前記第２開口に挿入されることを特徴とする請求項１３に記載の接続構造。
【請求項１６】
同一平面上に直列に配置された複数の電子部品のうち、前記列の一端に配置された電子部品の一端縁が前記基板用コネクタの内部空間に挿入され、
前記列の他端に配置された電子部品の一端縁が前記短絡用コネクタの内部空間に挿入されることを特徴とする請求項１５に記載の接続構造。
【発明の詳細な説明】
【技術分野】
【０００１】
本発明は、電気回路を備えた電子部品と接続されるコネクタおよびこのコネクタと電子部品との接続構造に関する。特に、本発明は、一対の端子を備え、これらの端子の間に電子部品を挟んで電気的接続を行なうコネクタに関する。
【背景技術】
【０００２】
従来、絶縁性の基板表面に電気回路が形成された電子部品の電気的接続に用いられるコネクタとして、絶縁性材料で形成されたハウジングの内部空間に、一対の端子を対向配置したものが知られている（例えば特許文献１）。
【０００３】
特許文献１に開示されたコネクタは、対向配置される一対の略板状のハウジング部材を備え、これら一対の板状のハウジング部材には、一対の端子がそれぞれ固定されている。コネクタは略直方体状で、ハウジング部材同士が対向する方向に平行な面に、互いに対向する第１開口と第２開口とを備える。
【０００４】
上記コネクタ内に対向配置された一対の端子は同一形状で、一枚の長尺状の金属板の両端に、一対の電子部品のそれぞれと接触する一対の接触部を備える。一対の接触部は、第１開口側および第２開口側にそれぞれ位置する。これらの接触部は、長尺状の金属板の両端部が折り曲げられて形成されており、端子同士が対向する方向に弾性変形可能である。
【０００５】
一対の電子部品は、コネクタの第１開口と第２開口のそれぞれからハウジングの内部空間に挿入され、内部空間に対向配置された一対の端子の間に狭持される。第１開口側からコネクタ内に挿入された電子部品は、第１開口側に位置する接触部と接触し、第２開口側からコネクタ内に挿入された他方の電子部品は、第２開口側に位置する接触部と接触する。第１開口側に位置する接触部と第２開口側に位置する接触部とは相互に導通していることから、一対の電子部品は、上記コネクタとの電気的接続を介して相互に電気的に接続される。
【０００６】
しかし、上記のコネクタでは、ハウジングの内部空間に対向配置される一対の端子の両方が、弾性変形可能な接触部を備える可動端子であり、両端子間に挟持された電子部品は、対向する端子のどちら側の方向にも動く。このため、コネクタ内部に挿入された電子部品は、端子が対向する方向（以下、コネクタの厚さ方向という）にぐらつく。このため、電気的接続が不安定になる恐れがあり、また、コネクタの厚さ方向での電子部品の位置を正確に規定することは困難である。
【特許文献１】特開２００１−２９６８４３号公報
【発明の開示】
【発明が解決しようとする課題】
【０００７】
本発明は、上記課題に対し、ハウジング内部での電子部品のがたつきを防ぎ、安定した電気的接続を可能とし、また、コネクタの厚さ方向での電子部品の位置を正確に規定できるコネクタおよびこのコネクタを用いた接続構造を提供することを目的とする。
【課題を解決するための手段】
【０００８】
本発明は、上記の課題を解決するため、ハウジング内部空間に、弾性変形可能な可動端子と、この可動端子に押圧される電子部品を抑止する固定端子と、が対向して配置されるコネクタを提供する。
【０００９】
本発明に係るコネクタのハウジング内部空間に設けられる一対の端子は、相互に形状が異なり、一方は弾性変形可能であるのに対し、他方は実質的に弾性変形しない。これらの端子の間に挿入される電子部品は、可動端子により固定端子側に押圧され、固定端子に接触して動きが停止される。このため、ハウジング内部空間に挿入された電子部品のぐらつきが防止される。また、電子部品は実質的に弾性変形しない固定端子と接する位置に保持されるため、コネクタの厚さ方向での電子部品の相対的な位置を規定できる。
【００１０】
ハウジングの内部空間は、可動端子と固定端子とを対向配置できる形状であれば特に限定されない。例えば、内部空間は、一端面が開口した矩形の容器状であってもよく、２つの対向する面のそれぞれが開口する略矩形筒状であってもよい。
【００１１】
ハウジングの内部空間に配置された可動端子と固定端子とは、金属板などの導電性材料で形成され、これらの端子が電子部品に形成された電気回路と接触する。このため、本発明に係るコネクタは、両面プリント配線板のように、基板両面に電気回路を備える電子部品に用いられ、可動端子と固定端子は、両表面の電気回路のそれぞれと電気的に接続される。
【００１２】
可動端子および固定端子の形状は特に限定されない。例えば可動端子の形状としては、先端が基端側に曲げ返された断面略Ｊ字状のものや、基端から先端にかけて傾斜するとともに先端側が一箇所で屈曲した断面略「ヘ」の字状のものなどが挙げられる。また、固定端子の形状としては、例えば、金属板で構成された本体と、この本体の一部が打ち出されて突出した半球状の突起を備えるものなどが挙げられる。
【００１３】
本発明に係るコネクタは、電気回路を備えた基板の表面に実装されるコネクタ（以下「基板用コネクタ」という）とすることができる。基板用コネクタのハウジングは、少なくとも一端面が開口した略矩形の略容器状の内部空間を備え、この開口から内部空間に電子部品が挿入される。
【００１４】
この内部空間には第１壁面に沿って可動端子が設けられ、第２壁面に沿って固定端子が設けられる。可動端子は、ハウジング外部に延びる第１固定片を備え、この第１固定片が基板に固定される。同様に、固定端子は、ハウジング外部に延びて基板に固定される第２固定片を備える。
【００１５】
第１固定片と第２固定片は、基板表面の異なる位置に固定され、基板用コネクタによれば、可動端子と接触する電気回路および固定端子と接触する電気回路を、基板表面の異なる位置に形成された電気回路に接続することができる。
【００１６】
基板用コネクタの可動端子としては、ハウジングに保持される本体を備え、この本体から長尺板状の接触部と略板状の第１固定片とが相反する方向に延びるものが挙げられる。接触部は、例えば、先端が基端側に曲げ返された断面略Ｊ字状のベローズ型の板ばねで構成できる。板ばねの先端側には、固定端子側に尖るように屈曲する頂部が形成されてもよい。
【００１７】
また、基板用コネクタの固定端子としては、ハウジングに保持される本体を備え、この本体から第２固定片が伸び、この第２固定片が延びる方向と相反する方向に突出する半球状の突起を備えるものが挙げられる。固定端子の突起は、可動端子の頂部と対向するように配置することで、これらの端子と電子部品との接触をより確実にできる。
【００１８】
本発明に係るコネクタは、相反する２表面のそれぞれに電気回路を備える一対の電子部品を同一平面に対向配置して電気的に接続するコネクタ（以下「中継用コネクタ」という）とすることもできる。中継用コネクタのハウジングは、両端が開口した略矩形筒状であり、各開口のそれぞれから電子部品がハウジング内部空間に挿入される。
【００１９】
中継用コネクタのハウジング内部空間には、一対の接触部を備える可動端子と、一対の抑止部を備える固定端子とが対向して保持されている。可動端子は一対の接触部を備え、これらの接触部は導通性材料で相互に接続され、互いに導通するものとする。一対の接触部の一方は一対の電子部品の一方と接触し、他方の接触部は、他方の電子部品と接触し、対向配置される電子部品同士が中継用コネクタを介して電気的に接続される。
【００２０】
可動端子は、互いに導通する一対の接触部を備えるものであれば特に限定されず、例えば、特許文献１に記載された端子、つまり長尺板状の本体の両端に、一対の接触部が設けられたタイプのものを用いてもよい。しかし、一対の接触部が並行に配置された可動端子は、中継用コネクタを小型化できるため、好適に用いられる。
【００２１】
一対の接触部を並行に配置する場合、これらの接触部を平面視略平行に並べるとともに先端側を固定端子側に立ち上げ、側面視ではこれらの接触部同士が交差するように配置することが特に好ましい。側面視交差して略並行に配置された一対の接触部を備える可動端子としては、例えば長尺板状の部材の両端に一対の接触部が接続され、略Ｚ字状をなすものが挙げられる。あるいは、可動端子の別の例として、略矩形枠状の部材をハウジングに保持される保持部とし、この保持部の対向する一対の辺のそれぞれに長尺状の各接触部の基端を固定したものが挙げられる。略矩形枠状の保持部の対向片に一対の接触部を固定した可動端子は、より確実にハウジングに保持できる。
【００２２】
固定端子の抑止部は、例えば金属製の板状部材の一部を突出させた一対の突起として構成することができる。一対の突起が形成された板状の部材は、固定端子の本体としてハウジングに固定され、一方の突起が一対の電子部品の一方と接触し、他方の突起が電子部品の他方と接触し、電子部品同士が電気的に接続される。
【００２３】
このように、中継用コネクタは、両面プリント基板のように２表面に電気回路が形成された電子部品同士を電気的に接続するために用いることができ、各表面に形成された電気回路同士をそれぞれ電気的に接続ができる。
【００２４】
さらに、本発明に係るコネクタは、基板の両表面に電気回路を備えた電子部品の両表面の電気回路同士を電気的に接続するコネクタ（以下「短絡用コネクタ」という）とすることもできる。
【００２５】
短絡用コネクタの可動端子と固定端子とは、接続部材に接続され、相互に導通する。可動端子と固定端子とが保持されるハウジングの内部空間は、例えば一端面が開口した矩形の容器状で、この開口と対向する面に沿って接続部材を固定してよい。
【００２６】
短絡用コネクタでは、可動端子は電子部品の表面のうち、第１壁面に対向する側の表面に形成された電気回路と接触し、固定端子は、第２壁面に対向する側の表面に形成された電気回路と接触する。可動端子と固定端子とは、相互に導通するため、電子部品の両表面に形成された電気回路が短絡用コネクタによって電気的に接続されることになる。
【００２７】
本発明はまた、上記の基板用コネクタ、中継用コネクタ、または短絡用コネクタのいずれか１つ以上を用い、電子部品とコネクタとを電気的に接続する接続構造を提供する。本発明によれば、ハウジング内部空間に可動端子と固定端子とが対向配置されるコネクタを用いることにより、コネクタに挿入された電子部品のがたつきを防止し、また、コネクタの厚さ方向での位置を正確に規定することができる。
【００２８】
本発明に係る接続構造は、電子部品に基板用コネクタ、中継用コネクタ、または短絡用コネクタのいずれか１つ以上を接続して構成される。このような接続構造としては、板状部材の両表面に電気回路を備える電子部品の両端に、基板用コネクタと短絡用コネクタとをそれぞれ接続した接続構造が挙げられる。この接続構造によれば、基板の電気回路をこの電子部品の両表面のそれぞれに形成された電気回路に別々に接続するとともに、電子部品の両表面に形成された電気回路同士を導通させることができる。
【００２９】
また、本発明によれば、１以上の中継用コネクタを介して、基板両表面に電気回路を備える２以上の電子部品同士を電気的に接続することもできる。中継用コネクタを介して２以上の電子部品同士を電気的に接続する場合、電子部品を同一平面上に配置し、隣接する電子部品同士を１つの中継用コネクタで接続する。この接続構造によれば、任意の数（ｎ個）の電子部品を（ｎ−１）個の中継用コネクタで接続して、任意の長さの電気回路を形成できる。
【００３０】
特に、電子部品が両表面に電気回路を備える場合、ｎ個の電子部品が直列に接続された列の一端縁に配置された電子部品の外側の端縁には、短絡用コネクタを接続することができる。電子部品の両表面に形成された２つの電気回路は、隣接する電子部品の両表面のそれぞれに形成された電気回路と接続されることにより、任意の長さに延ばされており、一端縁の電子部品の外側端縁に短絡用コネクタを接続することにより、これら２つの電気回路同士を接続できる。
【００３１】
さらに、中継用コネクタで接続されたｎ個の電子部品からなる列の一端縁に配置された電子部品の外側端縁には基板用コネクタを接続してもよい。あるいは、ｎ個の電子部品からなる列の一端縁の電子部品の外側端縁に基板用コネクタを接続し、他端縁の電子部品の外側端縁に短絡用コネクタを接続してもよい。この場合、ｎ個の電子部品は、基端に位置する電子部品が基板用コネクタを介して、基板に接続され、この基端の電子部品に対して中継用コネクタを介して任意の数の電子部品が接続され、先端の電子部品の先端側（つまり外側）端部に短絡用コネクタが接続されることになる。
【００３２】
なお、基板両面に電気回路を備える電子部品の各面の電気回路同士を接続する手段は、短絡用コネクタの接続に限られない。例えば、板状の電子部品の厚さ方向に貫通するスルーホールや、基板を挟むクリップなどを用いて電気回路同士を接続してもよい。
【発明の効果】
【００３３】
本発明によれば、コネクタに挿入された電子部品のがたつきを防止し、コネクタの厚さ方向での位置を正確に規定できる。
【発明を実施するための最良の形態】
【００３４】
次に、本発明の実施形態について図面を用いて説明する。以下、板状の電子部品の両表面に電気回路を備える２つの電子部品に接続される基板用コネクタ、中継用コネクタ、および短絡用コネクタと、これらのコネクタを用いた接続構造について説明する。なお、同一部材については同一符号を付し、説明を省略または簡略化する。
【００３５】
［基板用コネクタ］
図１は、本発明に係るコネクタとしての基板用コネクタ１を示し、（ａ）は正面図、（ｂ）は左側面図、（ｃ）は右側面図、（ｄ）は平面図、（ｅ）は底面図、および（ｆ）はＡ−Ａ矢視断面図である。なお、図１（ｆ）においては、右側面が左側となっている。基板用コネクタ１は、ハウジング１３と、可動端子１１と、固定端子１２と、を備える。図２はハウジング１３を示し、（ａ）は斜視図、（ｂ）〜（ｄ）は断面図である。図２（ｂ）は、図１（ｃ）の破線と同様の線に沿って切断したハウジング１３を矢印Ａが示す方向から見た図であり、図２（ｃ）は図１（ａ）の矢印Ｂが指す破線と同様の線に沿ってハウジング１３を切断して矢印Ｂの方向から見た図、図２（ｄ）は図１（ａ）の矢印Ｃが示す破線と同様の線でハウジング１３を切断して矢印Ｃの方向から見た図である。
【００３６】
ハウジング１３には、一端面が開口した略直方体状の内部空間１７が形成され、この内部空間１７には可動端子１１および固定端子１２が保持されるが、図２のハウジング１３の内部空間１７には、可動端子１１および固定端子１２は保持されていない。
【００３７】
ハウジング１３は、略平行な一対の側壁１３３、１３４と、これらの側壁１３３、１３４の両端同士を接続する底壁１３１、蓋壁１３２および後壁１３５と、を備える。内部空間１７は、側壁１３３、１３４、底壁１３１、蓋壁１３２および後壁１３５により形成され、底壁１３１の一壁面は、可動端子１１が設けられる第１壁面、蓋壁１３２の一壁面は、固定端子１２が設けられる第２壁面となっている。
【００３８】
後壁１３５に対向する面は、電子部品を挿入するための開口１５となっている。また、底壁１３１の一部が切りかかれて底開口６１が形成され、蓋壁１３２の一部が切り欠かれて蓋開口６２が形成されている。また、底壁１３１には、溝６３が設けられ、蓋壁１３２にも溝６４が設けられている。なお、図１では、側壁１３４を正面とし、後壁１３５側を左側面、及び開口１５が設けられる面を右側面としている。
【００３９】
側壁１３３、１３４には、電子部品を所定位置に保持するための係止構造が設けられている。具体的には、側壁１３３には、内側の表面に突出する係止片６５が設けられ、側壁１３４には、同様に内側の表面に突出して係止片６５と対向する係止片６６が設けられている。
【００４０】
次に、可動端子１１について図３を用いて説明する。図３（ａ）は、一枚の金属板１０３から可動端子１１を切り出した状態を示す図で、図３（ｂ）は金属板１０３の側面図である。
【００４１】
可動端子１１は、一枚の金属板１０３が切り曲げ加工されて形成され、本体１１３に接触部１１０と第１固定片１１５とが固定される。本体１１３は略平板状で、接触部１１０および第１固定片１１５は、この本体１１３に立設され、先端側同士が相反する向きに延びるように、基端が折り曲げられている。
【００４２】
接触部１１０は、長尺状の金属板で構成され、先端が基端側に曲げ返された弾性変形可能な板ばねである。接触部１１０の最先端は、本体１１３側に屈曲され、第１固定片１１５に相反する方向に尖った頂部１１１が形成されている。
【００４３】
図４は固定端子１２を示し、（ａ）は、一枚の金属板１０４から固定端子１２を切り出した状態を示し、（ｂ）は、金属板１０４の側面図である。
【００４４】
固定端子１２は、略平板状の本体１２３と、この本体１２３の一表面から突出して形成された突起１２０と、本体１２３から突起１２０と相反する方向に延びる第２固定片１２５と、を備える。突起１２０は、金属板１０４を打ち出し加工するなどして形成され、半球状であって、実質的に弾性変形しない。
【００４５】
上記の可動端子１１は、本体１１３が底壁１３１の溝６３に嵌入されることにより、底壁１３１に沿った状態でハウジング１３に固定される。一方、固定端子１２は、本体１２３が蓋壁１３２の溝６４に嵌入されることにより、蓋壁１３２に沿った状態でハウジング１３に固定される。そして、ハウジング内部空間１７には、底壁１３１壁面で構成される第１壁面に可動端子１１、蓋壁１３２壁面で構成される第２壁面に固定端子１２が設けられ、両者は対向することになる。
【００４６】
ハウジング１３からは、底開口６１を通して、可動端子１１の第１固定片１１５が外部へ延出し、固定端子１２の第２固定片１２５は、蓋開口６２からハウジング１３外へ延出する。第１固定片１１５と第２固定片１２５は、先端同士が相反する方向となるように側壁１３４から延伸し、基板（図示せず）に半田付けなどによって固定される。
【００４７】
［中継用コネクタ］
次に、本発明に係るコネクタとしての中継用コネクタ２について説明する。図５は、中継用コネクタ２を示し、（ａ）は正面図、（ｂ）は左側面図、（ｃ）は右側面図、（ｄ）は平面図、および、（ｅ）は底面図である。中継用コネクタ２は、略矩形筒状の内部空間２７を備えるハウジング２３と、可動端子２１と、固定端子２２と、を備える。
【００４８】
図６は、ハウジング２３を示し、（ａ）は斜視図で、（ｂ）〜（ｄ）は断面図である。図６（ｂ）は、図５（ｃ）の破線と同様の線でハウジング２３を切断して矢印Ｄの方向から見た図、図６（ｃ）は図５（ａ）の矢印Ｅが指す破線と同様の線でハウジング２３を切断して矢印Ｅが示す方向から見た図、図６（ｄ）は図５（ａ）の矢印Ｆが示す破線と同様の線でハウジング２３を切断し、矢印Ｆが示す方向から見た図である。なお、ハウジング２３の内部空間２７には、可動端子２１および固定端子２２が保持されるが、図６のハウジング２３は、これらの端子２１、２２を保持していない。
【００４９】
ハウジング２３は、略平行な一対の側壁２３３、２３４と、これらの側壁２３３、２３４の両端同士を接続する底壁２３１および蓋壁２３２と、を備える。内部空間２７は、側壁２３３、２３４、底壁２３１、および蓋壁２３２により形成され、両端面は開口２５および第２開口２６となっている。側壁２３３、２３４には底壁２３１に沿った溝７３が設けられ、底壁２３１の第２開口２６側の端縁には、この溝７３の高さまで立ち上がる停止壁２３５が立設されている。なお、図５は、側壁２３４を正面、開口２５側を右側面、および第２開口２６側を左側面としている。
【００５０】
側壁２３３には、係止片７５、７７が設けられ、側壁１３４には、係止片７５と対向する係止片７６および係止片７７と対向する係止片７８が設けられている。係止片７５、７６は相対する方向で側壁２３３、２３４の表面から突出し、係止片７７、７８も相対する方向で側壁２３３、２３４の表面から突出する。
【００５１】
図７および図８は、それぞれ、可動端子２１および固定端子２２を示す。図７（ａ）は、一枚の金属板２０３から可動端子２１を切り出した状態を示し、図７（ｂ）は金属板２０３の側面図である。図８（ａ）は一枚の金属板２０４から固定端子２２を切り出した状態を示し、図８（ｂ）は金属板２０４の側面を示す。
【００５２】
可動端子２１は、略矩形枠状の保持部２１３と、片持ばりで構成された第１接触部２１１および第２接触部２１２と、を備える。これらの接触部２１１、２１２を構成する片持ばりは、基端が保持部２１３の対向する２辺のそれぞれに固定され、先端同士は相反する方向に延びる。また、片持ばりの最先端は、保持部２１３側に尖るように屈曲され、側面視「へ」の字状をなす。片持ばりが屈曲されて形成された尖った部分を、それぞれ、第１接触部２１１の頂部２１５および第２接触部２１２の頂部２１６と称する。
【００５３】
また、第１接触部２１１および第２接触部２１２は、基端から先端側にかけて傾斜し、先端側が保持部２１３から離れる方向に立ち上げられ、軸に直交する方向に弾性変形する。第１接触部２１１と第２接触部２１２とは、略矩形枠状の保持部２１３の内側にほぼ平行に配置されており、可動端子２１を側面から見た場合、第１接触部２１１と第２接触部２１２とは、交差する。
【００５４】
固定端子２２は、板状の本体２２３と、一対の抑止部としての半球状の突起２２１、２２２と、を備える。突起２２１、２２２は、本体２２３を打ち出すなどして形成され、実質的に弾性変形しない。突起２２１、２２２はハウジングの内部空間２７で可動端子２１の頂部２１５、２１６と対向する位置に形成される。
【００５５】
可動端子２１は、開口２５側から溝７３に嵌入され、保持部２１３が停止壁２３５の上端部に当接して、第２開口２６側への移動が停止され、底壁２３１の一壁面である第１壁面に沿った状態で内部空間２７に保持される。可動端子２１の第１接触部２１１は、開口２５側から第２開口２６側へ延び、第２接触部２１２は、第２開口２６側から開口２５側に延びる。なお、保持部２１３には、可動端子２１をより安定的にハウジング２３に固定するために、第１接触部２１１、第２接触部２１２に平行な辺縁部に、外側（ハウジング側）に突出する固定片を設けてもよい。しかし、本実施形態のように固定片を設けない保持部２１３を直接、溝７３に嵌入するように構成すれば、コネクタを幅方向に小型化できる。
【００５６】
一方、固定端子２２は、溝７４に嵌入され、蓋壁２３２の一壁面である第２壁面に保持される。固定端子２２の突起２２１は第２開口２６側に位置し、第１接触部２１１の頂部２１５と対向する。突起２２２は、開口２５側に位置し、頂部２１６と対向する。
【００５７】
［短絡用コネクタ］
図９は、本発明に係るコネクタとしての短絡用コネクタ３を示し、（ａ）は正面図、（ｂ）は左側面図、（ｃ）は右側面図、（ｄ）は平面図、（ｅ）は底面図、および（ｆ）はＧ−Ｇ矢視断面図である。短絡用コネクタ３は、ハウジング３３と、可動端子３１と、固定端子３２と、を備える。図１０は、ハウジング３３を示し、（ａ）は斜視図、（ｂ）〜（ｄ）は断面図である。図１０（ｂ）は図９（ｃ）の線と同様の線に沿って切断したハウジング３３を、矢印Ｇで示す方向から見た断面図、図１０（ｃ）は図９（ａ）の矢印Ｈが指す破線と同様の線でハウジング３３を切断し、矢印Ｈが示す方向から見た図、図１０（ｄ）は図９（ａ）の矢印Ｉが示す破線と同様の線でハウジング３３を切断し、矢印Ｉが示す方向から見た図である。
【００５８】
ハウジング３３には略直方体状の内部空間３７が形成されており、内部空間３７には可動端子３１および固定端子３２が保持されるが、図１０のハウジング３３は、これらの端子は保持していない。
【００５９】
ハウジング３３は、略平行な一対の側壁３３３、３３４と、これらの側壁３３３、３３４の両端同士を接続する底壁３３１、蓋壁３３２および後壁３３５と、を備える。内部空間３７は、側壁３３３、３３４、底壁３３１、蓋壁３３２および後壁３３５に囲まれた略矩形箱状で、後壁３３５に対向する端面は、電子部品を挿入するための開口３５となっている。
【００６０】
内部空間３７の他の面は、底壁３３１の一壁面からなる第１壁面、蓋壁３３２の一壁面からなる第２壁面、および後壁３３５の一壁面からなる第３壁面となっている。可動端子３１は第１壁面に沿い、固定端子３２は第２壁面に沿って設けられ、両端子３１、３２の第３壁面側端部は、略平板状の接続部材３０に接続されている。接続部材３０は、第３壁面に沿った状態でハウジング３３に保持されている。
【００６１】
また、底壁３３１に沿って溝８３、蓋壁３３２に沿って溝８４がそれぞれ設けられている。さらに、内部空間３７には、側壁３３３、３３４の壁面から突出する一対の係止片８５、８６が対向して設けられる。
【００６２】
可動端子３１、固定端子３２、および接続部材３０は、一枚の金属板をきり曲げ加工して形成され、全体として短絡端子４０を構成する。以下、図１１を用いて短絡端子４０について説明する。図１１（ａ）は、一枚の金属板３０３から短絡端子４０を切り出した状態を示し、図１１（ｂ）は矢印Ｌ方向からの金属板３０３の側面図、図１１（ｃ）は線Ｍ−Ｍでの短絡端子４０の断面図、および図１１（ｄ）は矢印Ｎ方向からの底面図である。
【００６３】
短絡端子４０は、略長尺状の金属板３０３が長手方向の２箇所でほぼ直角に折り曲げられ、長手方向の断面が略コの字状をなし、可動端子３１と固定端子３２が対向し、可動端子３１と固定端子３２の一端縁同士を接続部材３０が接続している。
【００６４】
可動端子３１は、略平板状の本体３１３と、片持ばりで構成された接触部３１１と、を備える。接触部３１１の先端側は、本体３１３から離れる方向に傾斜し、最先端部分は本体３１３方向に屈曲し、尖った頂部３１５を備える「へ」の字状をなす。このように基端から先端側にかけて傾斜する可動端子３１は、軸に直交する方向に弾性変形可能である。
【００６５】
一方、固定端子３２は、略平板状の本体３２３と、本体３２３の表面から可動端子３１側に突出する突起３２０と、を備える。突起３２０は、可動端子３１の頂部３１５に対向する位置に設けられ、金属板３０３の一部が半球状に打ち出されて形成され、実質的に弾性変形しない。
【００６６】
可動端子３１は、本体３１３が溝８３に嵌入されることにより、底壁３３１の壁面である第１壁面に沿った状態で内部空間３７に保持される。固定端子３２は、本体３２３が溝８４に嵌入され、蓋壁３３４の壁面である第２壁面に沿って保持され、接続部材３０を介して可動端子３１と導通する。
【００６７】
［接続構造］
以下、図１２を用いて、上述した基板用コネクタ１、中継用コネクタ２、および短絡用コネクタ３を用いて一対の電子部品５１、５２を接続する接続構造について説明する。図１２（ａ）は、基板用コネクタ１、中継用コネクタ２および短絡用コネクタ３により電子部品５１および第２電子部品５２を接続した状態で、図１（ｃ）、図５（ｃ）および図９（ｃ）の破線に沿って切断した場合の断面図である。図１２（ｂ）は図１２（ａ）と同じ状態のものを図１（ａ）矢印Ｂ、図５（ａ）矢印Ｅ、および図９（ａ）矢印Ｈが示す破線に沿って切断した断面図である。なお、図１２（ａ）において、基板用コネクタ１は、図１（ｃ）の矢印Ａが示す方向と逆の方向から見た断面図で示され、中継用コネクタ２も、図５（ｃ）の矢印Ｄが示す方向と逆の方向から見た断面図で示されている。
【００６８】
ここで、一対の電子部品５１、５２について説明する。図１３は、電子部品５１の一端部を示し、（ａ）は側面図、（ｂ）は平面図である。第２電子部品５２は電子部品５１と同形状であり、電子部品５１の他端部は図に示した端部と同一の構成であるため、図示を省略する。
【００６９】
電子部品５１は略矩形平板状で、対向する一対の表面である上面Ｐおよび下面Ｒにそれぞれ、電気回路（図示せず）が形成されている。電子部品５１の両端部には、段差が設けられ、厚みが薄くなっている。厚みが薄くなった先端部の側面には、対向する一対の係止溝９１、９２が設けられている。電子部品５１の他端部にも同様に係止溝９３、９４が設けられている。これらの係止溝９１〜９４は、上面Ｐと接する端縁から、下面Ｒと接する端縁まで連続する。
【００７０】
電子部品５１の一端縁は、基板用コネクタ１に挿入され、基板用コネクタの可動端子１１と固定端子１２との間に挟持される。電子部品５１の係止溝９１、９２には、基板用コネクタ１のハウジング１３に設けられた係止片６５、６６が係止され、電子部品５１の後壁１３５側への移動が停止される。係止溝９１、９２は、上面Ｐ側から下面Ｒ側まで連続しているため、ハウジング１３に挿入された電子部品５１は、可動端子１１側および固定端子１２側のどちら側にも移動できる。
【００７１】
可動端子１１は、電子部品５１が挿入される際は、電子部品５１に押されて底壁１３１側に動いた後、板ばねの復元力によって電子部品５１を固定端子１２側に押し上げる。可動端子１１により押し上げられた電子部品５１は、上面Ｐが固定端子１２の突起１２０と接触して動きが停止される。このため、電子部品５１は、突起１２０が突出する高さで位置決めされ、基板用コネクタ１を用いれば、電子部品５１を所定の高さに保持できる。また、可動端子１１に押し上げられる電子部品５１の動きは、実質的に弾性変形しない固定端子１２により止められるため、ハウジング内部空間１７での電子部品５１の動きは抑制され、がたつきが防止できる。
【００７２】
固定端子１２は、ハウジング１３の外部へ延出して基板に固定される第２固定片１１６を備える。このため、固定端子１２と接触する上面Ｐ側の電気回路は、基板用コネクタ１と電気的に接続されることによって、第２固定片１２５が固定される基板の電気回路と電気的に接続される。
【００７３】
一方、電子部品５１の下面Ｒ側は可動端子１１の頂部１１１と接触する。可動端子１１は、基板に固定される第１固定片１１５を備え、電子部品５１の下面Ｒ側の電気回路は、基板用コネクタ１との電気的接続を介して第１固定片１１５が固定される基板の電気回路と電気的に接続される。
【００７４】
電子部品５１の他端部は、中継用コネクタ２の開口２５からハウジング２３の内部空間２７に挿入される。中継用コネクタ２には、第２開口２６から第２電子部品５２が挿入される。第２電子部品５２は、電子部品５１と同様の構造で、両端部に係止溝９５、９６、９７、９８が形成されている。
【００７５】
一対の電子部品５１、５２の係止溝９３〜９６には、中継用コネクタ２のハウジング２３に設けられた係止片７５〜７８がそれぞれ嵌合される。これにより、一対の電子部品５１、５２は、ハウジング２３の長手方向の所定位置に保持される。
【００７６】
ハウジング２３に挿入された一対の電子部品５１、５２は、可動端子２１と固定端子２２との間に狭持され、可動端子２１によって固定端子２２側に押し上げられ、上面Ｐ側が固定端子２２と接触する。固定端子２２の突起２２１は、第２開口２６側で、第２開口２６から挿入される第２電子部品５２と接触し、突起２２２は開口２５側で開口２５から挿入される電子部品５１と接触する。突起２２１と突起２２２とは、本体２２３を介して導通しており、電子部品５１と第２電子部品５２の上面Ｐ側に形成された電気回路は、中継用コネクタ２と電気的に接続されることにより、電気的に接続される。
【００７７】
一方、一対の電子部品５１、５２の下面Ｒ側に形成された電気回路は、可動端子２１により電気的に接続される。すなわち、可動端子２１の第１接触部２１１は、第２開口２６側で第２電子部品５２と接触し、第２接触部２１２は、開口２５側で電子部品５１と接触する。第１接触部２１１と第２接触部２１２は略矩形枠状の保持部２１３に接続され、相互に導通しており、第１接触部２１１および第２接触部２１２と接触する電子部品５１と第２電子部品５２とが、中継用コネクタ２を介して電気的に接続されることになる。
【００７８】
一対の電子部品５１、５２は、実質的に弾性変形しない固定端子２２に押し付けられることにより、中継用コネクタ２の厚み方向での高さが揃えられた状態でハウジング２３内に保持される。一方、可動端子２１の一対の接触部２１１、２１２は弾性変形可能なため、一対の電子部品５１、５２がハウジング２３内に挿入される際は、これらの接触部２１１、２１２は底壁２３１側へ押し下げられるため、これらの電子部品５１、５２の挿入を容易にできる。
【００７９】
上述したとおり、中継用コネクタ２によれば、電子部品５１および第２電子部品５２の上面Ｐに形成された電気回路同士および下面Ｒに形成された電気回路同士を電気的に接続できる。一方、短絡用コネクタ３によれば、上面Ｐに形成された電気回路と下面Ｒに形成された電気回路とを電気的に接続することができる。
【００８０】
以下、短絡用コネクタ３を用いた接続構造について説明する。本実施形態では、第２電子部品５２の他端部が、短絡用コネクタ３に挿入される。第２電子部品５２の他端部には、係止溝９７、９８が設けられており、これらの係止溝９７、９８にハウジング３３に設けられた係止片８５、８６が嵌合され、第２電子部品５２の進入が停止される。
【００８１】
第２電子部品５２は、可動端子３１によって固定端子３２側に押し上げられ、上面Ｐ側が固定端子３２と接触し、下面Ｒ側が可動端子３１の頂部３１５と接触する。なお、可動端子３１は、第２電子部品５２がハウジング３３に挿入される際は、底壁３３１側に押し下げられるため、第２電子部品５２は、容易にハウジング３３内に挿入される。
【００８２】
短絡用コネクタ３は、可動端子３１と固定端子３２とが接続部材３０に固定され、相互に導通している。このため、上面Ｐ側に形成された電気回路と下面Ｒ側に形成された電気回路とは、固定端子３２および可動端子３１と接触することにより、相互に電気的に接続される。
【００８３】
なお、第２電子部品５２の上面Ｐ側の電気回路と、下面Ｒ側の電気回路とは、別の手段により相互に電気的に接続することもできる。例えば、短絡用コネクタ３を第２電子部品５２の他端部に接続する代わりに、上面Ｐ側から下面Ｒ側に貫通するスルーホールを設けてもよい。あるいは、短絡端子４０のみを第２電子部品５２の他端部に接続してもよい。さらに、対向する一対の板状部材と、これらの板状部材の一端部同士を接続する接続部材と、を備えるクリップ状の器具を第２電子部品５２の他端部に接続してもよい。
【００８４】
しかし、短絡用コネクタ３によれば、固定端子３２の突起３２０が突出する高さで第２電子部品５２の高さを規定することができるため、短絡用コネクタ３を用いて電気的接続を行なうことが好ましい。
【産業上の利用可能性】
【００８５】
本発明は、基板の両面に電気回路が形成された両面プリント基板や、基板の両面に電気回路としての配線が設けられた光源ユニットなどの２以上の電子部品を、同一平面に配置して電気的に接続する場合に利用できる。
【図面の簡単な説明】
【００８６】
【図１】本発明の第１実施形態に係る基板用コネクタを示し、（ａ）は正面図、（ｂ）は左側面図、（ｃ）は右側面図、（ｄ）は平面図、（ｅ）は底面図、（ｆ）はＡ−Ａ矢視断面図である。
【図２】前記実施形態に係る基板用コネクタのハウジングを示し、（ａ）は斜視図、（ｂ）はＡ−Ａ矢視断面図、（ｃ）はＢ−Ｂ矢視断面図、（ｄ）はＣ−Ｃ矢視断面図である。
【図３】前記実施形態に係る基板用コネクタの可動端子を示し、（ａ）は可動端子が切り出された金属板の平面図、（ｂ）は側面図である。
【図４】前記実施形態に係る基板用コネクタの固定端子を示し、（ａ）は固定端子が切り出された金属板の平面図、（ｂ）は側面図である。
【図５】本発明の第２実施形態に係る中継用コネクタを示し、（ａ）は正面図、（ｂ）は右側面図、（ｃ）は左側面図、（ｄ）は平面図、（ｅ）は底面図である。
【図６】前記実施形態に係る中継用コネクタのハウジングを示し、（ａ）は斜視図、（ｂ）はＤ−Ｄ矢視断面図、（ｃ）はＥ−Ｅ矢視断面図、（ｄ）はＦ−Ｆ矢視断面図である。
【図７】前記実施形態に係る中継用コネクタの可動端子を示し、（ａ）は可動端子が切り出された金属板の平面図、（ｂ）は側面図である。
【図８】前記実施形態に係る中継用コネクタの固定端子を示し、（ａ）は固定端子が切り出された金属板の平面図、（ｂ）は側面図である。
【図９】本発明の第３実施形態に係る短絡用コネクタを示し、（ａ）は正面図、（ｂ）は右側面図、（ｃ）は左側面図、（ｄ）は平面図、（ｅ）は底面図、（ｆ）はＧ−Ｇ矢視断面図である。
【図１０】前記実施形態に係る短絡用コネクタのハウジングを示し、（ａ）は斜視図、（ｂ）はＧ−Ｇ矢視断面図、（ｃ）はＨ−Ｈ矢視断面図、（ｄ）はＩ−Ｉ矢視断面図である。
【図１１】前記実施形態に係る短絡用コネクタの短絡端子を示し、（ａ）は短絡端子が切り出された金属板の平面図、（ｂ）は矢印Ｌ方向の側面図、（ｃ）は線Ｍ−Ｍでの短絡端子の断面図、（ｄ）は矢印Ｎ方向からの底面図である。
【図１２】前記基板用コネクタ、中継用コネクタ、短絡用コネクタによる接続構造を示し、（ａ）は図１（ｃ）矢印Ａが示す破線と同様の線に沿って切断した断面図、（ｂ）は矢印Ｂが示す破線と同様の線に沿って切断した断面図である。
【図１３】電子部品の一端部を示し、（ａ）は側面図、（ｂ）は平面図である。
【符号の説明】
【００８７】
１                  コネクタ（基板用コネクタ）
２                  コネクタ（中継用コネクタ）
３                  コネクタ（短絡用コネクタ）
１１、２１、３１    可動端子
１２、２２、３２    固定端子
１３、２３、３３    ハウジング
１５、２５、３５    開口
１７、２７、３７    内部空間
【図１】
2005340000.tif 000003
【図２】
2005340000.tif 000004
【図３】
2005340000.tif 000005
【図４】
2005340000.tif 000006
【図５】
2005340000.tif 000007
【図６】
2005340000.tif 000008
【図７】
2005340000.tif 000009
【図８】
2005340000.tif 000010
【図９】
2005340000.tif 000011
【図１０】
2005340000.tif 000012
【図１１】
2005340000.tif 000013
【図１２】
2005340000.tif 000014
【図１３】
2005340000.tif 000015